(57)【要約】【課題】外部入力使用時の利便性をより高めたテレビジョンシステムを提供する。【解決手段】入力ソースを切り換えて出力する外部の切り換え部から送信された映像を入力する入力手段と、外部機器からの映像を入力するポートを有する外部入力手段と、前記ポートに関してポート名またはこのポートに対応する前記外部機器の機器情報をグルーピングしてリスト表示する表示手段とを備え、前記リスト表示された外部機器を入力切換するための専用ボタンを備えた外部の操作手段に由来する入力切換指示により操作されることを特徴とするモニター部。【選択図】  図６
2011061402.tif 000002
【特許請求の範囲】
【請求項１】
入力ソースを切り換えて出力する外部の切り換え部から送信された映像を入力する入力手段と、
外部機器からの映像を入力するポートを有する外部入力手段と、
前記ポートに関してポート名またはこのポートに対応する前記外部機器の機器情報をグルーピングしてリスト表示する表示手段とを備え、
前記リスト表示された外部機器を入力切換するための専用ボタンを備えた外部の操作手段に由来する入力切換指示により操作されることを特徴とするモニター部。
【請求項２】
外部の操作手段に由来する入力ソース切り換え指示に対応して出力を切り換える切り換え手段と、
前記入力ソースとして外部機器からの映像を入力する映像入力手段と、
前記切り換え手段により切り換えられた映像を出力する出力手段とを
備えることを特徴とする切り換え部。
【請求項３】
入力ソースを切り換えて出力する外部の切り換え部から送信された映像を入力する入力手段と、外部機器からの映像を入力するポートを有する外部入力手段と、前記ポートに関してポート名またはこのポートに対応する前記外部機器の機器情報をグルーピングしてリスト表示する表示手段とを備えたモニター部と、
外部の操作手段に由来する入力ソース切り換え指示に対応して出力を切り換える切り換え手段と、前記入力ソースとして外部機器からの映像を入力する映像入力手段と、前記切り換え手段により切り換えられた映像を出力する出力手段とを備えた切り換え部とを含み、
前記表示手段は前記ポートに関して前記グルーピングされた前記ポート名または前記機器情報に並べて前記入力ソースに関するポート名または機器情報をリスト表示し、このリスト表示されたポートと入力ソースとを同等に入力切換する操作手段とを更に備えたことを特徴とするテレビジョンシステム。
【請求項４】
選局された放送映像を出力するチューナ部を更に備え、請求項２に記載の切り換え部の前記入力ソースとしてこのチューナ部の出力を加えたことを特徴とする請求項３に記載のテレビジョンシステム。
【請求項５】
前記入力ソースからの入力に切り換えられたときには、前回ユーザーが選択していた入力ソースを前記モニター部は表示することを特徴とする請求項３に記載のテレビジョンシステム。
【請求項６】
入力ソースを切り換えて出力する外部の切り換え部から送信された映像を入力し、
外部機器からの映像をポートから入力し、
前記ポートに関してポート名またはこのポートに対応する前記外部機器の機器情報をグルーピングしてリスト表示し、
前記リスト表示された外部機器を入力切換するための専用ボタンによるユーザーの指定によって外部機器を入力切換することを特徴とする表示方法。
【発明の詳細な説明】
【技術分野】
【０００１】
本発明は、テレビジョンシステムに係わり、特に外部入力切換方法に関する。
【背景技術】
【０００２】
近年、その価格の低下とともに省スペース、省電力を特徴とする液晶モニターが、デスクトップでパソコン画面のモニターとして急速に普及してきており、ブラウン管に続く表示装置としてその地位を確立した。一般消費者にも、液晶モニターが身近な製品になってきておりＰＣ用モニターとしてだけではなく、そのスタイルを生かしたテレビ受像機としての用途が広がってきている。例えば外部入力としてゲーム機を接続することができるテレビ受信機が提案されている（特許文献１）。
【０００３】
本発明はテレビ受像機で更にチューナ部とモニター部を分離できる再生装置に係わる。モニター部としては、特に、液晶ディスプレイの他、ＥＬディスプレイなど薄型フラットな表示デバイスを用いると好適である。
【０００４】
しかしながらこのチューナ部とモニター部を分離した形態においては、まだ外部入力使用時の利便性が十分に工夫されてきているとは言えない問題がある。
【先行技術文献】
【特許文献】
【０００５】
【特許文献１】特開２００８−１６６８９８号公報
【発明の概要】
【発明が解決しようとする課題】
【０００６】
本発明は、外部入力使用時の利便性をより高めたテレビジョンシステムを提供することを目的とする。
【課題を解決するための手段】
【０００７】
上記課題を解決するために、本発明のテレビジョンシステムは例えば、入力ソースを切り換えて出力する外部の切り換え部から送信された映像を入力する入力手段と、外部機器からの映像を入力するポートを有する外部入力手段と、前記ポートに関してポート名またはこのポートに対応する前記外部機器の機器情報をグルーピングしてリスト表示する表示手段とを備え、前記リスト表示された外部機器を入力切換するための専用ボタンを備えた外部の操作手段に由来する入力切換指示により操作されることを特徴とするモニター部を用いた。
【発明の効果】
【０００８】
本発明によれば、外部入力使用時の利便性をより高めたテレビジョンシステムが得られる。
【図面の簡単な説明】
【０００９】
【図１】この発明の一実施形態の装置（システム）を示す概略ブロック構成図。
【図２】同実施形態の装置の詳細を示すブロック構成図。
【図３】同実施形態のモニター側入力切換用のボタンを有するリモコン例を示す図。
【図４】本発明の一実施形態に係る表示装置が扱うＨＤＭＩ端子のピン配列を示す説明図。
【図５】ＩＩＣインタフェースを説明するための図。
【図６】実施形態のモニター側入力切換の画面例を示す図。
【図７】他の実施形態の装置（システム）を示す概略ブロック構成図。
【発明を実施するための形態】
【００１０】
以下、本発明の実施形態を説明する。
（実施形態１）
本発明による実施形態１を図１乃至図６を参照して説明する。
図１は、画面表示部であるＴＶモニター１と放送受信部であるＴＶボックス２をセパレートで構成するＴＶシステム（テレビ）の図である。ＴＶモニター１とＴＶボックス２は互いに有線ケーブルあるいは無線通信により接続される。またモニター側とボックス側それぞれに複数の外部入力端子を有しており、それぞれに外部機器が接続されている。図１は、ＴＶモニター１とＴＶボックス２が有線ケーブルであるＨＤＭＩ（High-Definition Multimedia Interface）により接続されているシステムを示す概略図である。
【００１１】
このシステムは、アンテナから地上デジタル放送波やＢＳ（Broadcast Satellite）やＣＳ（Communication Satellite）等の衛星放送を受信し復調して表示、または外部入力から映像信号を受信して表示する電子機器であるＴＶモニター１及びＴＶボックス２と、ＡＶアンプ４を介してＤＶＤ等のメディアを再生するＤＶＤプレーヤ５とで構成される。リモコン１Ｂ（１Ｃ）は、ＴＶモニター１及びＴＶボックス２を操作する専用リモコンであるが、ＨＤＭＩケーブル６を介して他の電子機器に命令信号を送信して操作することも可能である。赤外光を用いたリモコン１Ｂは通常ＴＶモニター１に向けて用いられるが、通常の電波を用いた所謂ＲＦリモコン１ＣはＴＶモニター１またはＴＶボックス２に用いることができる。
【００１２】
テレビ１は、ＨＤＭＩケーブル６で接続された各電子機器との接続を、テレビ１の電源投入時に確認するほか、通常動作中に定期的に確認する。接続確認の情報の送受信はＨＤＭＩケーブル６のＣＥＣ制御ラインを用いて行う。
【００１３】
図２は、本発明の第１の実施の形態に係わるテレビの構成を示すブロック図である。
テレビは、チューナ１０とＨＤＭＩ受信部１０ＡとＨＤＭＩ送信部１０Ｂとを含むＴＶボックス２と、ＴＶモニター１とから構成されている。
ＴＶモニター１は、信号処理部１１、映像処理部１２Ａ、表示処理部１３Ａ、表示部１４Ａ、音声処理部１２Ｂ、音声出力処理部１３Ｂ、スピーカ１４Ｂ、ＨＤＭＩ受信部１５、ＣＰＵ（Central Processing Unit）１６、ＲＡＭ（Random Access Memory）１７、ＲＯＭ（Read Only Memory）１８、操作部１９、受光部２０から構成されている。なおＴＶボックス２にも、図示せぬ簡易な信号処理部（映像のスケーリング等を行う）、プロセッサ、メモリ等やＲＦリモコンの受信部がある。
【００１４】
チューナ１０は、アンテナ１Ａを介して地上デジタルテレビ放送波（放送信号）を受信し、放送波を復調して番組信号をＨＤＭＩ送信部１０Ｂを通じて出力する。信号処理部１１は、チューナ１０からの出力をＨＤＭＩ受信部１５を通じて受けて映像データ、音声データ、字幕データ等の種別に分別して処理する。映像処理部１２Ａは、信号処理部１１の映像データおよび字幕データの出力をデコードする。表示処理部１３Ａは、映像処理部１２Ａの出力を表示用の映像信号に変換して出力する。
【００１５】
表示部１４Ａは、表示処理部１３Ａの出力をＬＣＤ（Liquid Crystal Display）等の表示手段に表示する。音声処理部１２Ｂは、信号処理部１１の音声データの出力をデコードする。音声出力処理部１３Ｂは、音声処理部１２Ｂの出力を音声信号に変換して出力する。スピーカ１４Ｂは、音声出力処理部１３Ｂの出力を音声に変換する。
【００１６】
ＣＰＵ１６は、ＴＶモニター１の各部を制御する。ＲＡＭ１７は、ＣＰＵ１６が処理するデータを一時的に記憶する。ＲＯＭ１８は、ファームウエア等のデータを不揮発に記録する。操作部１９は、複数のスイッチ等からなり、これらスイッチの入力に基づいてＴＶモニター１を操作する。受光部２０は、リモコン１Ｂから赤外線信号を用いて送信される命令を受信する。各部は、バス２１によって相互に接続される。
【００１７】
図３は、前記システムを操作するためのリモコン１Ｂの例であり、このリモコン１Ｂにモニター側入力を切り換えるための専用ボタンが配置される。リモコン１Ｃも、これと同様な配置でよい。リモコン１Ｂ（１Ｃ）は、言わば専用ボタンを備えた操作手段である。この専用ボタンは、図３で破線囲いをして示したゲームボタンＧである。ゲームボタンＧについては後に図４を参照しながら機能を説明する。その他のボタンについては、以下に実施形態に関連が深い機能を列記する。
【００１８】
戻るボタンは、様々な設定等の段階の途中で、前のメニュー画面に戻るときに使うボタンである。
終了ボタンは、一般に設定等を終了してメニューを消すボタンである。
クイックボタンは、各段階でその段階に応じたクイックメニューを表示させるためのボタンである。
文字入力ボタンは通常はチャンネルを直接に選ぶときに用いられるものであるが、文字、数字、記号の入力が必要な設定でも使うボタン群である。
決定ボタンは、様々な設定等の段階で、メニューで選んだ項目を決定するときに使うボタンである。
ここで前述のＨＤＭＩ受信部を例に端子のピン配列を説明する。このＨＤＭＩ端子は、図４に示すようなコネクタピン配列を有している。この中では、１３ピンのＣＥＣ（Consumer Electronics Control）５１，１５ピンのＳＣＬ（Serial data Clock Line）、１６ピンのＳＤＡ（Serial Data Analyzer）、１８ピンの＋５Ｖ電源がＨＤＭＩ機器の接続状態を検知する上で好適である。
【００１９】
またＨＤＭＩのクロックとしては映像用のＴＭＤＳクロックの他にＤＤＣ（Display Data Channel）ラインのＳＣＬ（シリアルクロック）もある。ＤＤＣラインは、このＳＣＬとデータラインであるＳＤＡ（シリアルデータ）とからなるＩＩＣインタフェース方式に準拠したシリアルバスによって指令を受ける構成となっている。
【００２０】
図５は、ＩＩＣインタフェースを説明するための図である。ＩＩＣインタフェースのバスは、マスタデバイスから出力されるプルアップされたクロックと、マスタデバイスとスレーブデバイスとの双方向通信を行うデータとの２本の通信線から成り立っている。
【００２１】
図５（ａ）は、スレーブアドレスの構成例を示したものである。スレーブアドレスは8 ビット長で、上位4 ビットはデバイスの種類に応じて固定的に決まっている。また下位1 ビットは0 のとき書き込みで、1 のとき読み込みを表す。したがってスレーブアドレスで実際上使えるのはビット1 から3 までになる。
【００２２】
図５（ｂ）は２線のタイミングの概略図であり、上側のようにデータ線がＬＯＷになることによってＳｔａｒｔとなり、上位ビットから以下データが送られていき、データ線がＨＩＧＨになることによってＳｔｏｐ状態となる。対応するクロック線のタイミングは下側のようである。図５（ｂ）は１バイト転送の例であるが、データとＡＣＫをＳｔｏｐ状態までに複数繰り返せば、最初のバイトはスレーブアドレスだが残りのバイトは通信内容とすることができる。
【００２３】
ここでＨＤＭＩ機器の接続状態を検知する方法を更に述べると、まずケーブル挿入検知は、ＨＤＤレコーダやＡＶアンプ等の電子機器がＨＤＭＩケーブルを介してＨＤＭＩ入力と接続された場合において、１５ピンのＳＣＬ（Serial data Clock Line）と１６ピンのＳＤＡ（Serial Data Analyzer）とからなるＤＤＣ（Display Data Channel）ラインの電位を検出することである。
【００２４】
次にＰＷＲ５Ｖ検知は、ＨＤＭＩケーブルがＨＤＭＩ端子と接続された場合において、１８ピンの＋５Ｖ電源を検出することである。ＣＥＣによる検知は、ＨＤＭＩケーブルがＨＤＭＩ端子と接続された場合において、１３ピンのＣＥＣの通信状態（相手機器と通信状態にあるかどうか）を検出することである。
【００２５】
例えばＰＷＲ５Ｖ検知により、ＨＤＭＩ端子にケーブルを介して接続されている機器が動作中であることを検出する。
図６は、前記リモコン１Ｂのボタンにより、モニター側入力切換が表示されたときのモニター画面例である。ここで入力切換として、モニター側外部入力だけでなくボックスからの入力をも表示させ、切換対象としているのが特徴である。
【００２６】
具体例を説明すると、図６のＧａｍｅ１とＧａｍｅ２はモニター側外部入力を表示したものである。例えばＧａｍｅ１はチューナ側と合わせて６番目の汎用のＨＤＭＩ入力（ＨＤＭＩ６）であり、Ｇａｍｅ２はチューナ側と合わせて４番目のビデオ入力（ビデオ４）である。これらは例えば、それぞれポート名としてＨＤＭＩ６、ビデオ４と表示する。またはＧａｍｅ１またはＧａｍｅ２に接続されている機器の情報が取得されていれば、この機器情報である例えば機器名称を表示すればユーザーに便利である。
【００２７】
また、図６のＢｏｘ  Ｉｎｐｕｔはボックスからの入力を表示したものである。このボックスからの入力の配線は図１で明示しているが、専用のＨＤＭＩ入力である。このボックスは例えば、５つの汎用のＨＤＭＩ入力（ＨＤＭＩ１〜ＨＤＭＩ５）と、３つのビデオ入力（ビデオ１〜ビデオ３）を備えている。
【００２８】
図６のＢｏｘ  Ｉｎｐｕｔの詳細な表示としては、Ｂｏｘの入力ソースを示す。例えば図１で明示しているものはＡＶアンプ４からの入力であり、他にはチューナとしての受信チャンネルがある。その他のソースのない入力にＢｏｘ  Ｉｎｐｕｔが切り換えられている場合は無効な入力であることを例えばグレーアウトなどにより表示すればよい。ＨＤＭＩ入力に機器が無接続の場合は、前述のＤＤＣラインを調べて判定すればよい。
【００２９】
さてゲームボタンＧを押すたびに起こることは、Ｇａｍｅ１とＧａｍｅ２とＢｏｘ  Ｉｎｐｕｔがサイクリックに切り替わりモニター画面に対応するソースが表示されることである。このとき図６のような表示はゲームボタンＧが押されたあと例えば１秒間だけ行われる。
【００３０】
なおゲームボタンＧを押したあと、前述のタッチパッドの線状の部分ＬＢを押して、押すたびに選択の対象をＧａｍｅ１とＧａｍｅ２とＢｏｘ  Ｉｎｐｕｔと、或いは反対の順序で一つずつ移動させてもよい。
【００３１】
（実施形態２）
本発明による実施形態２を図１乃至図７を参照して説明する。実施形態１と共通する部分は説明を省略する。
図７は、この実施形態の装置（システム）を示す概略ブロック構成の部分図である。図１のＴＶボックス２が、ＢＯＸ２２とチューナ２３とに分離されている。アンテナ１Ａはチューナ２３に接続されている（図示せず）。ＢＯＸ２２とチューナ２３とはＨＤＭＩで接続されている。ＢＯＸ２２は、外部のモニター部から送信された入力ソース切り換え指示を受信し前記指示に対応して出力を切り換える切り換え手段（図示せず）を備えている。
【００３２】
図７（ａ）は図１のＴＶボックス２に相当するＢＯＸ２２とチューナ２３の構成例であり、図７（ｂ）は更にそのＴＶモニター１からみた前段（ＴＶモニター１との間）にＢＯＸ２２ｃを言わばＢＯＸをカスケードに接続した例である。ＢＯＸ２２とＢＯＸ２２ｃとはＨＤＭＩ等有線ケーブルであるいは無線通信で接続されている。ＢＯＸ２２とＢＯＸ２２ｃとは同等の機能を有する。
【００３３】
図７（ａ）の場合のシステムの動作は実施形態１と同様であるが、図７（ｂ）の場合は以下のように変化を持たせることができる。即ち、一つには実施形態１と同じ動作において、図６のＢｏｘ  Ｉｎｐｕｔの詳細な表示として示されるＢｏｘの入力ソースはＢＯＸ２２となる。またこの機能にもカスケード性を持たせるとＢｏｘの入力ソースは、チューナ２３あるいは外部入力等のＢＯＸ２２の入力ソースが表示される。
【００３４】
このようにカスケード性をどこ（例えば何段）まで持たせるかといったことは、ＣＥＣの制御の構成によって容易に実現できる。また図７（ａ）の構成にＢＯＸ２２の更に後段に同等のＢｏｘを接続しても良い。
【００３５】
本実施形態においては、実施形態１と比較して汎用なＢｏｘの接続を重ねることによって多入力ソースへの拡張性がある。
従来は、テレビのチューナと外部入力を切り換えるための入力切換ボタンをまとめて1つあるいは各入力端子数分もつリモコンはあったが、セパレートタイプのTVでモニター側入力、ボックス側入力をグルーピングしてそれぞれ入力切換するためのボタンを用意するリモコンはなかった。
【００３６】
以上の実施形態により、ユーザーはモニター側外部入力端子に接続した外部機器を明確かつ早く選択することができ、さらにモニター側入力に戻すときにはそれまで最後に見ていた放送チャンネルあるいは外部入力に戻すことのできるTVシステムが実現された。
【００３７】
実施形態のポイントを列挙すると以下のようになる。
（１）画面表示部であるモニターと放送受信部であるボックスをセパレートで構成されるＴＶで、モニター側にある複数の外部入力群をひとまとめに表示し入力切換することができる専用リモコンボタンを用意するＴＶシステム
【００３８】
（２）上記リモコンボタンを押したときには、モニター側の持つ複数外部入力だけでなくボックスからの入力も含めてリスト表示し、連続的に切り換えることのできる入力切換システム
【００３９】
（３）上記ボックスからの入力を選択したときには、ボックス側でユーザーが最後選択していた放送チャンネル、あるいは外部入力を記憶しておき、切り換えて表示することのできるマルチ制御ＴＶシステム
【００４０】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００４１】
１…テレビモニター、１Ｂ，１Ｃ…リモコン、２…ＴＶボックス、５…ＤＶＤプレーヤ、６…ＨＤＭＩケーブル、１０…チューナ、１０Ａ…ＨＤＭＩ受信部、１０Ｂ…ＨＤＭＩ送信部、１４Ａ…表示部、１４Ｂ…スピーカ、１５…ＨＤＭＩ受信部、１６…ＣＰＵ、１９…操作部、２０…受光部。
【図１】
2011061402.tif 000003
【図２】
2011061402.tif 000004
【図３】
2011061402.tif 000005
【図４】
2011061402.tif 000006
【図５】
2011061402.tif 000007
【図６】
2011061402.tif 000008
【図７】
2011061402.tif 000009
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
外部入力端子を備えたモニターと、外部入力端子が設けられ、チューナーを納めたボックスとに分離され、前記モニターと前記ボックスが有線ケーブルまたは無線通信により接続されたテレビジョンシステムにおいて、
前記モニターは、
前記ボックスに存在する複数の外部入力端子を一つにグルーピングし、このグループを、前記モニターの前記外部入力端子へ入力ソースを入力する選択候補の一つとして表示する表示手段と、
この表示手段に表示された選択候補の中から、選択された選択候補へ表示対象の前記外部入力端子を切り替える切替手段と
を備えることを特徴とするテレビジョンシステム。
【請求項２】
前記切替手段は、
前記グループが選択されたときに、ユーザが前記ボックス側で最後に選択していた前記チューナーの放送チャネルあるいは外部入力に切り換えて表示することを特徴とする請求項１に記載のテレビジョンシステム。
【請求項３】
外部入力端子を備えたモニターと、外部入力端子が設けられ、チューナーを納めたボックスとに分離され、前記モニターと前記ボックスが有線ケーブルまたは無線通信により接続されたテレビジョンシステムにおける表示方法であって、
前記モニターは、
前記ボックスに存在する複数の外部入力端子を一つにグルーピングし、このグループを、前記モニターの前記外部入力端子へ入力ソースを入力する選択候補の一つとして表示し、
表示された選択候補の中から、選択された選択候補へ表示対象の前記外部入力端子を切り替える
ことを特徴とする表示方法。
【手続補正３】
【補正対象書類名】明細書
【補正対象項目名】０００１
【補正方法】変更
【補正の内容】
【０００１】
本発明は、テレビジョンシステム及び表示方法に関する。
【手続補正４】
【補正対象書類名】明細書
【補正対象項目名】０００７
【補正方法】変更
【補正の内容】
【０００７】
上記課題を解決するために、本発明のテレビジョンシステムは、例えば、外部入力端子を備えたモニターと、外部入力端子が設けられ、チューナーを納めたボックスとに分離され、前記モニターと前記ボックスが有線ケーブルまたは無線通信により接続されたテレビジョンシステムにおいて、前記モニターは、前記ボックスに存在する複数の外部入力端子を一つにグルーピングし、このグループを、前記モニターの前記外部入力端子へ入力ソースを入力する選択候補の一つとして表示する表示手段と、この表示手段に表示された選択候補の中から、選択された選択候補へ表示対象の前記外部入力端子を切り替える切替手段とを備える。
【手続補正５】
【補正対象書類名】明細書
【補正対象項目名】００１７
【補正方法】変更
【補正の内容】
【００１７】
図３は、前記システムを操作するためのリモコン１Ｂの例であり、このリモコン１Ｂにモニター側入力を切り換えるための専用ボタンが配置される。リモコン１Ｃも、これと同様な配置でよい。リモコン１Ｂ（１Ｃ）は、言わば専用ボタンを備えた操作手段である。この専用ボタンは、図３で破線囲いをして示したゲームボタンＧである。ゲームボタンＧについては後に図６を参照しながら機能を説明する。その他のボタンについては、以下に実施形態に関連が深い機能を列記する。